(57)【要約】【課題】作業員の労力軽減と工期短縮とを実現し得る足場装置を提供する。組立て作業時の作業員の安全性に配慮した足場装置を提供する。【解決手段】垂直支柱２１は、それぞれが上下端部に連結部を有し、かつ、長手方向に沿って所定間隔毎に取付孔が形成された柱部材２２を上下方向に複数連結してそれぞれ形成され、建築物１０の躯体部１１外側に配置される。水平梁２３は、それぞれが水平方向に伸びて垂直支柱２１に連結され、上下方向に間隔を隔てて配置される。締結手段は建築物１０の躯体部１１に締結される。足場板支持梁２８は、柱部材２２の取付孔に対応する貫通孔が形成された連結部を備え、連結部を介して垂直支柱２１に対して垂直に突設される。足場板３７は、水平方向に隣り合う足場板支持梁２８に両端が着脱自在に装着される。【選択図】　　図３
2004100249.tif 000002
【特許請求の範囲】
【請求項１】
端部に連結部を有し、かつ、長手方向に沿って所定間隔毎に取付孔が形成された柱部材を上下方向に複数連結してそれぞれ形成され、建築物の躯体部外側に配置される複数本の垂直支柱と、
端部に連結部を有する梁部材を水平方向に複数連結してそれぞれ形成され、上下方向に間隔を隔てて前記垂直支柱に連結される複数本の水平梁と、
前記建築物の躯体部に前記垂直支柱を締結させる締結手段と、
前記柱部材の前記取付孔に対応する貫通孔が形成された連結部を備え、前記連結部を介して前記垂直支柱に対して垂直に突設される足場板支持梁と、
水平方向に隣り合う前記足場板支持梁に両端が着脱自在に装着される足場板とを有することを特徴とする足場装置。
【請求項２】
端部に連結部を有し、かつ、長手方向に沿って所定間隔毎に取付孔が形成された柱部材を上下方向に複数連結してそれぞれ形成され、建築物の躯体部外側に配置される複数本の垂直支柱と、
端部に連結部を有し、かつ、長手方向に沿って所定間隔毎に取付孔が形成された梁部材を水平方向に複数連結してそれぞれ形成され、上下方向に間隔を隔てて前記垂直支柱に連結される複数本の水平梁と、
前記建築物の躯体部に前記垂直支柱を締結させる締結手段と、
前記梁部材の前記取付孔に対応する貫通孔が形成された連結部を備え、前記連結部を介して前記水平梁に対して垂直に突設される足場板支持梁と、
水平方向に隣り合う前記足場板支持梁に両端が着脱自在に装着される足場板とを有することを特徴とする足場装置。
【請求項３】
請求項１または２記載の足場装置において、前記柱部材は、逆向きに対向して配置され、スペーサを介して結合された一対のチャンネル材によって構成され、前記チャンネル材のそれぞれの対向面には、長手方向に沿って所定間隔毎に取付孔が形成されていることを特徴とする足場装置。
【請求項４】
請求項１〜３の何れか一項に記載の足場装置において、前記梁部材は、逆向きに対向して配置され、スペーサを介して結合された一対のチャンネル材によって構成され、前記柱部材の前記取付孔に対応する貫通孔が形成された連結部を有することを特徴とする足場装置。
【請求項５】
請求項１〜４の何れか一項に記載の足場装置において、前記締結手段は、前記柱部材の前記取付孔に対応する貫通孔が形成された連結部を有することを特徴とする足場装置。
【請求項６】
請求項１〜４の何れか一項に記載の足場装置において、前記締結手段には、一端部に前記足場板支持梁に連結するためのクランプが設けられ、他端部に前記躯体部に結合するための雄ねじ部が形成された壁つなぎが用いられることを特徴とする足場装置。
【請求項７】
請求項１〜６の何れか一項に記載の足場装置において、前記柱部材の前記取付孔に対応する貫通孔が形成された連結部と、外周に雄ねじ部が形成されたジャッキ支柱の一端に支持板に結合されたジャッキ装置と、前記連結部と前記ジャッキ支柱とを連結する締結部材とで構成された足場用ベースを有し、前記垂直支柱は前記足場用ベースによって支持されることを特徴とする足場装置。
【請求項８】
請求項１〜７の何れか一項に記載の足場装置において、前記垂直支柱の側辺に外方に向けて前記垂直支柱に平行となって水平に突設される梯子支持梁と、上下方向に隣り合う前記梯子支持梁との間に取り付けられる梯子と、前記側辺に位置する前記足場板支持梁に回動自在に装着される渡り足場板とを有し、作業者が前記梯子を介して上下に移動し得るとともに前記渡り足場板を介して相互に隣り合う足場板に移動し得ることを特徴とする足場装置。
【発明の詳細な説明】
【０００１】
【発明の属する技術分野】
本発明は建築物を建造する際に建築物の外側に設置されて用いられる足場装置に関する。
【０００２】
【従来の技術】
中高層建築物の建造工事に当たっては、鳥居型もしくはＨ型等の建枠を建築物の周囲または必要な箇所に設置し、互いに連結する。次に、それぞれの建枠の上に足場板を架け渡し、更に所望する高さに達するまで建枠を上下方向に積み上げ、足場板を敷設することによって足場を構築する。作業員は、この足場板の上で外面塗装など種々の建築作業を施工する。
【０００３】
しかし、このような従来の足場装置では、建枠を地上から上層階まで運び上げる必要があり、組み上がるまでに多大な労力と時間とを費やしていた。しかも、高層階で足場を組み立てる作業は危険を伴うため、組み立て作業中に足場から作業員が転落するおそれもあった。
【０００４】
【発明が解決しようとする課題】
本発明は上述のような従来技術の問題点に鑑みてなされたものであり、その目的は、作業員の労力軽減と工期短縮とを実現し得る足場装置を提供することにある。
【０００５】
本発明の他の目的は、組立て作業時の作業員の安全性に配慮した足場装置を提供することにある。
【０００６】
【課題を解決するための手段】
本発明の足場装置は、端部に連結部を有し、かつ、長手方向に沿って所定間隔毎に取付孔が形成された柱部材を上下方向に複数連結してそれぞれ形成され、建築物の躯体部外側に配置される複数本の垂直支柱と、端部に連結部を有する梁部材を水平方向に複数連結してそれぞれ形成され、上下方向に間隔を隔てて前記垂直支柱に連結される複数本の水平梁と、前記建築物の躯体部に前記垂直支柱を締結させる締結手段と、前記柱部材の前記取付孔に対応する貫通孔が形成された連結部を備え、前記連結部を介して前記垂直支柱に対して垂直に突設される足場板支持梁と、水平方向に隣り合う前記足場板支持梁に両端が着脱自在に装着される足場板とを有することを特徴とする。
【０００７】
本発明の足場装置は、端部に連結部を有し、かつ、長手方向に沿って所定間隔毎に取付孔が形成された柱部材を上下方向に複数連結してそれぞれ形成され、建築物の躯体部外側に配置される複数本の垂直支柱と、水平端部に連結部を有し、かつ、長手方向に沿って所定間隔毎に取付孔が形成された梁部材を水平方向に複数連結してそれぞれ形成され、上下方向に間隔を隔てて前記垂直支柱に連結される複数本の水平梁と、前記建築物の躯体部に前記垂直支柱を締結させる締結手段と、前記梁部材の前記取付孔に対応する貫通孔が形成された連結部を備え、前記連結部を介して前記水平梁に対して垂直に突設される足場板支持梁と、水平方向に隣り合う前記足場板支持梁に両端が着脱自在に装着される足場板とを有することを特徴とする。
【０００８】
本発明の足場装置の柱部材は、逆向きに対向して配置され、スペーサを介して結合された一対のチャンネル材によって構成され、前記チャンネル材のそれぞれの対向面には、長手方向に沿って所定間隔毎に取付孔が形成されていることを特徴とする。
【０００９】
本発明の足場装置の梁部材は、逆向きに対向して配置され、スペーサを介して結合された一対のチャンネル材によって構成され、前記柱部材の前記取付孔に対応する貫通孔が形成された連結部を有することを特徴とする。
【００１０】
本発明の足場装置の前記締結手段は、前記柱部材の前記取付孔に対応する貫通孔が形成された連結部を有することを特徴とする。
【００１１】
本発明の足場装置の前記締結手段に、一端部に前記足場板支持梁に連結するためのクランプが設けられ、他端部に前記躯体部に結合するための雄ねじ部が形成された壁つなぎが用いられることを特徴とする。
【００１２】
本発明の足場装置は、前記柱部材の前記取付孔に対応する貫通孔が形成された連結部と、外周に雄ねじ部が形成されたジャッキ支柱の一端に支持板に結合されたジャッキ装置と、前記連結部と前記ジャッキ支柱とを連結する締結部材とで構成された足場用ベースを有し、前記垂直支柱は前記足場用ベースによって支持されることを特徴とする。
【００１３】
本発明の足場装置は、前記垂直支柱の側辺に外方に向けて前記垂直支柱に平行となって水平に突設される梯子支持梁と、上下方向に隣り合う前記梯子支持梁との間に取り付けられる梯子と、前記側辺に位置する前記足場板支持梁に回動自在に装着される渡り足場板とを有し、作業者が前記梯子を介して上下に移動し得るとともに前記渡り足場板を介して相互に隣り合う足場板に移動し得ることを特徴とする。
【００１４】
本発明の足場装置によれば、予め地上で複数本の垂直支柱と複数本の水平梁とを組み合わせたユニット枠体を構成することが可能で、これにより、作業員の労力を軽減でき、しかも工期を大幅に短縮することができる。
【００１５】
また、本発明の足場装置によれば、予め組み上がったユニット枠体を既に組み上がった部分に連結するだけでよいので、組み立て作業中に作業員が転落する危険性が少なく、安全性が向上する。
【００１６】
【発明の実施の形態】
以下、本発明の実施の形態を図面に基づいて詳細に説明する。
【００１７】
図１は本発明の一実施の形態である足場装置を建築物の外側に取り付けた状態を示す正面図であり、図２は図１の平面図であり、図３は図１におけるＡ−Ａ線に沿う方向の矢視図である。
【００１８】
図１〜図３には建造途中におけるマンションやオフィスビルなどの建築物１０の躯体部１１が示されており、本発明の足場装置２０は建築物１０の外側全体を覆うように配置されている。
【００１９】
足場装置２０は、上下方向に伸びる複数本の垂直支柱２１と、それぞれが水平方向に伸びて垂直支柱２１に連結され、上下方向に間隔を隔てて配置される複数本の水平梁２３とを備えており、相互に隣り合う垂直支柱２１は筋交い２４により連結され、足場全体の機械的強度が確保されている。
【００２０】
図１に示すように、足場装置２０の外面には安全ネット１９が取り付けられており、これによって、作業用工具の落下、小物部品の落下、それによる作業員の負傷を未然に防止している。垂直支柱２１は、所定の長さの柱部材２２を複数本接続することにより形成されており、分解および組立てを行うことができる。同様に、水平梁２３も、所定の長さの梁部材２５を複数本接続することにより形成されている。この実施の形態では、梁部材２５には丸パイプが用いられている。
【００２１】
図４（Ａ）は柱部材２２を示す側面図であり、図４（Ｂ）は柱部材２２を示す正面図であり、図４（Ｃ）は柱部材２２の一部を示す斜視図である。柱部材２２はそれぞれ所定長さの断面コの字形状の２本のチャンネル材２２ａを逆向きにし、それぞれに溶接されるスペーサ２６によって固定することにより形成されている。
【００２２】
一方のチャンネル材２２ａの一端部と他方のチャンネル材２２ａの他端部には、それぞれ断面コの字形状のジョイント部材２６ａが固定され、それぞれのジョイント部材２６ａには取付孔２７ａが形成されている。また、一方のチャンネル材２２ａの他端部と他方のチャンネル材２２ａの一端部には、それぞれ取付孔２７ａに対応して取付孔２７ｂが形成されている。これにより、ジョイント部材２６ａによって、所定の長さの柱部材２２を連結することにより垂直支柱２１を構成することができる。
【００２３】
それぞれのチャンネル材２２ａの対向面には、長手方向に所定の間隔毎に取付孔２７が形成されている。その取付孔２７を貫通するボルトによってジョイント部材２６ａを取り付け、ジョイント部材２６ａを介して柱部材２２を連結することにより、必要な長さの垂直支柱２１を建築現場で容易に組み立てることができる。
【００２４】
図５は図１のＢ部を拡大して示した斜視図であり、図６は足場板支持梁２８を示す斜視図である。図５に示すように、それぞれの垂直支柱２１には所定の間隔毎に水平に足場板支持梁２８が連結されている。更に、この実施の形態では、垂直支柱２１を建築物に締結させるための足場装置２０の締結手段としては、壁つなぎ２９が用いられており、壁つなぎ２９の一端が足場板支持梁２８にクランプ結合され、壁つなぎ２９の他端部に形成された雄ねじ部が建築物１０の躯体部１１に設けられた図示しない雌ねじ部とねじ結合されている。
【００２５】
足場板支持梁２８は、持ち送り枠もしくはブラケットと称されており、図６に示すように、チャンネル材に加工が施され、垂直支柱２１に形成された取付孔２７に対応する貫通孔３０が形成された連結部材３１を有する。連結部材３１の両端部のそれぞれには、丸パイプからなる支持梁本体３２と支持梁補助部３３とが連結部材３１に対して直角方向に固定されており、支持梁本体３２および支持梁補助部３３の先端には、手摺り材を装着するための筒部３４が固定されている。なお、連結部材３１、支持梁本体３２、支持梁補助部３３および筒部３４は相互に溶接されており、符号３５は溶接部を示す。
【００２６】
図示はされていないが、支持梁本体３２および支持梁補助部３３それぞれの内部にパイプが摺動自在に嵌め合わされていてもよい。この場合、支持梁本体３２および支持梁補助部３３の先端からのパイプの突出量を調整することによって、建築物と足場との隙間を一定にすることができる。
【００２７】
このような足場板支持梁２８を垂直支柱２１に取り付けるには、図５に示すように、連結部材３１に形成された貫通孔３０と垂直支柱２１に形成された取付孔２７とに止めピン３６またはボルトなどの締結具を用いて締結すればよい。これによって、測定器具を用いることなく、隣り合う足場板支持梁２８の垂直支柱２１に対する取り付け高さを同一に揃えることができる。
【００２８】
図２に示されるように、足場板支持梁２８は、それぞれの垂直支柱２１に取り付けられており、隣り合う足場板支持梁２８相互間には足場板３７が着脱自在に装着されるようになっている。
【００２９】
図７（ａ）は足場板３７を示す平面図であり、図７（ｂ）は足場板３７を示す正面図である。一般に、足場板３７には布板と称されているものが使用されている。図７（ａ）（ｂ）に示すように、足場板３７は、枠体部３８の上面に布板部３９が設けられ、枠体部３８の長手方向の両端面にそれぞれ幅方向に間隔を隔ててフック４０が設けられており、フック４０を足場板支持梁２８の支持梁本体３２に掛け留めることによって、足場板支持梁２８に対して着脱自在に装着される。
【００３０】
枠体部３８は、鉄などの金属薄板の折り曲げ、打ち抜きまたはプレス加工を経て製造してもよいし、角パイプもしくは丸パイプを組み合わせて構成してもよい。また、この実施の形態では、布板部３９にエキスパンドメタル等の金属メッシュが用いられているが、金属板の表面に多数の穴を設けた多孔板や、金属板の表面に多数の微小な凹凸模様を付したものを用いても良い。
【００３１】
図８は足場板支持梁の変形例を示す斜視図である。図において、図６に示された構成部分と同一の構成部分には同一の参照符号を付してある。図８に示した足場板支持梁４１は、連結部材３１の一端部と支持梁本体３２との間に、丸パイプからなる補強部材４２が固定され、筒部３４が支持梁本体３２にのみ固定されていることを特徴とする。この足場板支持梁４１の場合も、図５に示すように、垂直支柱２１のそれぞれに取り付けることができ、隣り合う足場板支持梁４１−４１間には、図７に示した足場板３７を装着することができる。
【００３２】
図９は垂直支柱２１を建築物に締結させるための締結手段としての締結具４３を示す斜視図であり、図１０は図９に示した締結具４３を用いた足場装置を示す図である。図９に示した締結具４３は、図１０に示すように躯体部１１が外部に突出している建築物１０に使用される。締結具４３は、チャンネル材に加工が施され、柱部材２２に形成された取付孔２７に対応する貫通孔４４が形成された連結部材４５を有する。連結部材４５には、角パイプからなる締結梁４６が連結部材４５に対して直角方向に固定されており、締結梁４６と連結部材４５との間には躯体部の外面に接触するストッパ４７が設けられている。締結梁４６の一端側には、スリーブ４８が摺動自在に嵌合されており、スリーブ４８に対して締結梁４６と平行にねじ結合された締結ねじ４９の先端には、躯体部１１の内面に接触する締結駒５０が設けられている。締結梁４６には複数の位置決め孔５１が形成され、躯体部１１の厚み寸法に合わせて何れかの位置決め孔に止めピンなどの固定具を打ち込むことにより、スリーブ４８の締結梁４６の位置を設定することができる。締結具４３を垂直支柱２１に取り付けるには、連結部材４５に形成された貫通孔４４と垂直支柱２１に形成された取付孔２７とに止めピンなどの固定具やボルトなどの締結具を用いる。
【００３３】
図１０では壁つなぎ２９と締結具４３とが併用されているが、締結具４３を使用する場合は、壁つなぎ２９を省略してもよい。
【００３４】
図１１は垂直支柱２１を支持するための足場用ベース５２を示す斜視図であり、図１２は図１のＣ部を拡大して示した斜視図である。図１１に示すように、垂直支柱２１は、その下端部が足場用ベース５２によって支持されている。足場用ベース５２は、角パイプからなり垂直支柱２１に形成された取付孔２７に対応する貫通孔５３が形成された連結部５４を有する。連結部５４の一端部には、複数の角パイプや金属板の組み合わせからなる締結梁５５が連結部５４に対して直角方向に固定されており、締結梁５５の先端には、ジャッキ装置５６が接続されている。
【００３５】
ジャッキ装置５６は、外周に雄ねじ部が形成されたジャッキ支柱５７を有し、ジャッキ支柱５７は、軸方向の一端が支持板５８に結合され、他端側が自由端となっている。更にジャッキ支柱５７には回転体５９がネジ結合されており、回転体５９には締結梁５５の先端が着脱自在に掛け留められている。
【００３６】
このような足場用ベース５２によれば、ジャッキ装置５６の回転体５９を回転させることにより締結梁５５と支持板５８との間隔を任意に調整することができるので、足場を組む地面が平坦でない場合でも、確実に支持板５８を地面に設置させることができ、従って、常に足場を安定した状態に保持することができる。
【００３７】
図１３は建枠６０を示す斜視図であり、この建枠６０は、それぞれ垂直支柱２１に固定されるとともに支持台に支持される内側縦支柱６１と、各内側縦支柱６１に対応して支持台に支持される外側縦支柱６２とを有し、内側縦支柱６１と外側縦支柱６２との間には水平方向の足場板支持梁６３が固定されている。隣り合う内側縦支柱６１相互間と、隣り合う外側縦支柱６２−６２相互間には、筋交い６４が取り付けられて機械的強度が確保されている。また、隣り合う内側縦支柱６１および足場板支持梁６３相互間と、隣り合う外側縦支柱６２および足場板支持梁６３相互間とには補強材６５が設けられている。
【００３８】
図１および図２に示されるように、足場装置２０は建築物１０の外側に配置され、建築物１０の複数階分の上下寸法と、所定の幅寸法を有しているので、作業員が効率よく建築作業を行うためには、足場板３７を上下方向に移動するための手段が必要となる。そこで、本発明の足場装置２０では、垂直支柱２１の一方の側辺に位置する足場板支持梁２８に、開閉式のハッチ６７が取り付けられた渡り足場板６６を回動自在に装着した。垂直支柱２１には、図１および図２に示すように、梯子６８が取り付けられており、作業者が上下方向に移動する際には、ハッチ６７を開放して梯子６８を上り下りすることになる。
【００３９】
上述したように、柱部材２２は、上下端にジョイント部材２６ａが形成されており、長手方向に沿って所定の間隔毎に取付孔２７が形成されているので（図４参照）、その取付孔２７を貫通するボルトによってジョイント部材２６ａを取り付け、ジョイント部材２６ａを介して柱部材２２を相互に連結することにより、必要な長さの垂直支柱２１を形成することができる。また、足場板支持梁２８の連結部材３１には、図６に示すように、柱部材２２の取付孔２７に対応する貫通孔３０が形成されているので、垂直支柱２１の正確な位置に容易に足場板支持梁２８を取り付けることができる。したがって、本発明の足場装置２０によれば、予め地上で複数本の垂直支柱２１と複数本の水平梁２３とを組み合わせたユニット枠体を構成することも可能で、これにより、足場を組み立てる際の作業員の労力を軽減でき、しかも工期を短縮することができる。
【００４０】
図１４（Ａ）は変形例である水平梁７０を側面から見た部分断面図であり、図１４（Ｂ）は水平梁７０を示す正面図であり、図１４（Ｃ）は水平梁７０の一部を示す斜視図であり、図１４（Ｄ）は水平梁７０の一部を示す斜視図であり、図１５は図１４に示した梁部材を用いた足場装置を示す正面図である。水平梁７０は、それぞれ所定長さの断面コの字形状の２本のチャンネル材７０ａを逆向きにし、それぞれに溶接されるスペーサ７１によって固定することにより形成されている。
【００４１】
一方のチャンネル材７０ａの一端部と他方のチャンネル材７０ａの他端部には、それぞれ断面コの字形状のジョイント部材７１ａが固定され、それぞれのジョイント部材７１ａには取付孔７２ａが形成されている。また、一方のチャンネル材７０ａの他端部と他方のチャンネル材７０ａの一端部には、それぞれ取付孔７２ａに対応して取付孔７２ｂが形成されている。更に、それぞれのチャンネル材７０ａの長手方向の端部には取付孔７２が形成されており、その取付孔７２を貫通するボルトによってジョイント部材７１ａを取り付け、ジョイント部材７１ａを介して水平梁７０を連結することにより必要な長さの水平梁２３を建築現場で容易に組み立てることができる。
【００４２】
対向するチャンネル材７０ａの相互間には、柱部材２２に形成された取付孔２７に対応する貫通孔７３が形成された連結部材７４がネジ留めもしくは溶接などの結合手段によって固定されている。水平梁７０を垂直支柱２１に取り付けるには、連結部材７４に形成された貫通孔７３と柱部材２２に形成された取付孔２７とを位置合わせしてボルトなどの締結具で締結すればよく、図１５に示した足場装置は、このような水平梁７０を用いて組み上げたものである。図１５に示すように、足場板３７は、水平梁７０に連結して用いる場合もある。
【００４３】
図１６は本発明の他の実施の形態である足場装置を建築物の外側に取り付けた状態を示す図である。図において、図３に示された構成部分と同一の構成部分には同一の参照符号を付してある。図１６に示すように、相互に独立した複数の足場装置２０を、上下方向に間隔を隔てて躯体部１１に固定してもよい。この場合、１つの足場装置２０で構成する場合に比較して、足場装置２０のそれぞれに加わる上下方向の荷重を低減できるので、より高い足場を構築することができる。
【００４４】
図１７および図１８はユニット枠体を用いた足場装置の組立方法を示す図である。
【００４５】
まず、図１７に示すように、建築物１０の躯体部１１の周囲または必要な箇所に複数の柱部材２２を立設し、その内側に建枠６０を設置し、柱部材２２に連結する。それぞれの建枠６０の上に足場板３７を架け渡し、柱部材２２相互間は水平梁２３や筋交い２４により連結され補強される。水平梁２３には壁つなぎ２９が連結され、躯体部１１と締結されている。
【００４６】
次に、複数本の垂直支柱２１、複数本の水平梁２３、足場板支持梁２８および足場板３７を組み合わせたユニット枠体８０を予め地上で組み立てて、図１８に示すように、ユニット枠体８０の上部にワイヤ８１を固定し、ウインチなどの巻上げ機８２でワイヤ８１を牽引して、立設された柱部材２２に対してユニット枠体８０の垂直支柱２１を連結する。
【００４７】
このような上下方向および水平方向にユニット枠体８０を連結する方法によって足場装置を構築すれば、作業員の労力軽減と工期短縮とを実現し得るだけでなく、組み立て作業中に足場から転落する危険性は従来の足場装置に比較して大幅に減少する。
【００４８】
本発明は前記実施の形態に限定されるものではなく、その要旨を逸脱しない範囲で種々変更可能である。
【００４９】
たとえば、図１８に示したユニット枠体８０は４本の垂直支柱２１と２本の水平梁２３の組み合わせによって構成されているが、その本数は建築物の大きさなどに応じて任意に変更することができる。同様に、ユニット枠体８０に装着される足場板３７の段数についても、建築現場に応じて任意に設定することができる。また、この実施の形態では、足場の最下層部に建枠６０が設置されているが、建枠６０は省略してもよい。更に、図１８に示したユニット枠体８０は、足場板支持梁２８および足場板３７が取り付けられているが、足場板支持梁２８や足場板３７を外したもの、もしくは足場板支持梁２８のみが取り付けられたものであってもよい。また、安全ネット１９を用いないようにしてもよい。
【００５０】
【発明の効果】
本発明の足場装置によれば、予め地上で複数本の垂直支柱と複数本の水平梁とを組み合わせたユニット枠体を構成することが可能で、これにより、足場組み立ての際の作業員の労力を軽減でき、しかも工期を大幅に短縮することができる。
【００５１】
また、本発明の足場装置によれば、予め組み上がったユニット枠体を既に組み上がった部分に連結するだけでよいので、組み立て作業中に作業員が転落する危険性が少なく、安全性が向上する。
【図面の簡単な説明】
【図１】本発明の一実施の形態である足場装置を建築物の外側に取り付けた状態を示す正面図である。
【図２】図１の平面図である。
【図３】図１におけるＡ−Ａ線に沿う方向の矢視図である。
【図４】（Ａ）は柱部材を示す側面図であり、（Ｂ）は柱部材を示す正面図であり、（Ｃ）は柱部材の一部を示す斜視図であり、（Ｄ）は梁部材の一部を示す斜視図である。
【図５】図１のＢ部を拡大して示した斜視図である。
【図６】足場板支持梁を示す斜視図である。
【図７】（ａ）は足場板を示す平面図であり、（ｂ）は足場板を示す正面図である。
【図８】足場板支持梁の変形例を示す斜視図である。
【図９】締結具を示す斜視図である。
【図１０】図９に示した締結具を用いた足場装置を示す図である。
【図１１】足場用ベースを示す斜視図である。
【図１２】図１のＣ部を拡大して示した斜視図である。
【図１３】建枠を示す斜視図である。
【図１４】（Ａ）は梁部材を示す側面図であり、（Ｂ）は梁部材を示す正面図であり、（Ｃ）は梁部材の一部を示す斜視図である。
【図１５】図１４に示した梁部材を用いた足場装置を示す正面図である。
【図１６】本発明の他の実施の形態である足場装置を建築物の外側に取り付けた状態を示す図である。
【図１７】ユニット枠体を用いた足場装置の組立方法を示す図である。
【図１８】ユニット枠体を用いた足場装置の組立方法を示す図である。
【符号の説明】
１０　　　　建築物
１１　　　　躯体部
１９　　　　安全ネット
２０　　　　足場装置
２１　　　　垂直支柱
２２　　　　柱部材
２３　　　　水平梁
２４　　　　筋交い
２５　　　　梁部材
２６　　　　スペーサ
２７　　　　取付孔
２８　　　　足場板支持梁
２９　　　　壁つなぎ
３０　　　　貫通孔
３１　　　　連結部材
３２　　　　支持梁本体
３３　　　　支持梁補助部
３４　　　　筒部
３５　　　　溶接部
３６　　　　止めピン
３７　　　　足場板
３８　　　　枠体部
３９　　　　布板部
４０　　　　フック
４１　　　　足場板支持梁
４２　　　　補強部材
４３　　　　締結具
４４　　　　貫通孔
４５　　　　連結部材
４６　　　　締結梁
４７　　　　ストッパ
４８　　　　スリーブ
４９　　　　締結ねじ
５０　　　　締結駒
５１　　　　位置決め孔
５２　　　　足場用ベース
５３　　　　貫通孔
５４　　　　連結部
５５　　　　締結梁
５６　　　　ジャッキ装置
５７　　　　ジャッキ支柱
５８　　　　支持板
５９　　　　回転体
６０　　　　建枠
６１　　　　内側縦支柱
６２　　　　外側縦支柱
６３　　　　足場板支持梁
６４　　　　筋交い
６５　　　　補強材
６６　　　　渡り足場板
６７　　　　ハッチ
６８　　　　梯子
７０　　　　梁部材
７１　　　　スペーサ
７２　　　　取付孔
７３　　　　貫通孔
７４　　　　連結部材
８０　　　　ユニット枠体
８１　　　　ワイヤ
８２　　　　巻上げ機
【図１】
2004100249.tif 000003
【図２】
2004100249.tif 000004
【図３】
2004100249.tif 000005
【図４】
2004100249.tif 000006
【図５】
2004100249.tif 000007
【図６】
2004100249.tif 000008
【図７】
2004100249.tif 000009
【図８】
2004100249.tif 000010
【図９】
2004100249.tif 000011
【図１０】
2004100249.tif 000012
【図１１】
2004100249.tif 000013
【図１２】
2004100249.tif 000014
【図１３】
2004100249.tif 000015
【図１４】
2004100249.tif 000016
【図１５】
2004100249.tif 000017
【図１６】
2004100249.tif 000018
【図１７】
2004100249.tif 000019
【図１８】
2004100249.tif 000020